(57)【特許請求の範囲】
【請求項１】
読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置において、
上記光ガイド部材から照射される上記赤色光、緑色光、および、青色光を受光可能な位置に配設された受光素子と、
上記赤色読取信号、緑色読取信号、および、青色読取信号のそれぞれに対して、所定の画像処理を適用する画像処理手段と、
所定の白基準画像を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を再設定する調整手段を備えたことを特徴とするカラー原稿読取装置。
【請求項２】
読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置において、
上記光ガイド部材から照射される上記赤色光、緑色光、および、青色光を受光可能な位置に配設された受光素子と、
上記赤色読取信号、緑色読取信号、および、青色読取信号のそれぞれに対して、所定の画像処理を適用する画像処理手段と、
所定の白基準画像を読み取って得た赤色読取信号、緑色読取信号、および、青色読取信号のいずれか１つの信号レベルが所定値になるように、対応する上記赤色発光素子、緑色発光素子、および、青色発光素子のいずれか１つの発光素子について、１ライン点灯デューティを調整するとともに、その他の２つの発光素子について、調整にかかる発光素子と同一の上記１ライン点灯デューティを設定し、さらに、調整にかかる発光素子以外の２つの発光素子に対応した読取信号の信号レベルが上記所定値と同じ値となるように、その他の２つの発光素子の駆動電流を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、駆動電流を再設定する調整手段を備えたことを特徴とするカラー原稿読取装置。
【請求項３】
読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置の制御方法において、
上記光ガイド部材から照射される上記赤色光、緑色光、および、青色光を受光可能な位置に配設された受光素子と、
上記赤色読取信号、緑色読取信号、および、青色読取信号のそれぞれに対して、所定の画像処理を適用する画像処理手段を備え、
所定の白基準画像を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を再設定するようにしたことを特徴とするカラー原稿読取装置の制御方法。
【請求項４】
読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置の制御方法において、
上記光ガイド部材から照射される上記赤色光、緑色光、および、青色光を受光可能な位置に配設された受光素子と、
上記赤色読取信号、緑色読取信号、および、青色読取信号のそれぞれに対して、所定の画像処理を適用する画像処理手段を備え、
所定の白基準画像を読み取って得た赤色読取信号、緑色読取信号、および、青色読取信号のいずれか１つの信号レベルが所定値になるように、対応する上記赤色発光素子、緑色発光素子、および、青色発光素子のいずれか１つの発光素子について、１ライン点灯デューティを調整するとともに、その他の２つの発光素子について、調整にかかる発光素子と同一の上記１ライン点灯デューティを設定し、さらに、調整にかかる発光素子以外の２つの発光素子に対応した読取信号の信号レベルが上記所定値と同じ値となるように、その他の２つの発光素子の駆動電流を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、駆動電流を再設定するようにしたことを特徴とするカラー原稿読取装置の制御方法。
【発明の詳細な説明】
【０００１】
【発明の属する技術分野】
本発明は、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置およびその制御方法に関する。
【０００２】
【従来の技術】
従来より、読取原稿上の原稿読取位置を副走査方向へ相対的に移動するとともに、赤色発光素子、緑色発光素子、および、青色発光素子を切り換えて発光させて、赤色発光素子、緑色発光素子、および、青色発光素子からそれぞれ出力される赤色光、緑色光、および、青色光を、光ガイド部材を介して読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置が実用されている。
【０００３】
また、このようなカラー原稿読取装置では、ラインイメージセンサから出力されるアナログ読取信号をアナログ／デジタル変換器でデジタル読取信号へ変換し、そのデジタル読取信号に対してシェーディング補正演算や、空間周波数（ＭＴＦ）補正演算などの種々の画像処理を適用した後に、赤色成分、緑色成分、および、青色成分を各画素毎に合成することで、１ライン分のフルカラーデータ（カラー読取信号）を形成している。
【０００４】
【発明が解決しようとする課題】
さて、上述したようなカラー原稿読取装置では、使用されるラインイメージセンサの受光感度波長特性、各発光素子の出力波長特性、および、光ガイド部材の光伝達波長特性により、ラインイメージセンサから出力される赤色読取信号、緑色読取信号、および、青色読取信号の出力レベルが大幅にばらつくという事態を生じていた。
【０００５】
本発明は、かかる実情に鑑みてなされたものであり、ラインイメージセンサから出力される赤色読取信号、緑色読取信号、および、青色読取信号の出力レベルのばらつきを解消できるカラー原稿読取装置およびその制御方法を提供することを目的としている。
【０００６】
【課題を解決するための手段】
本発明は、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段と、所定の白基準画像を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を再設定する調整手段を備えたものである。
【０００７】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段と、所定の白基準画像を読み取って得た赤色読取信号、緑色読取信号、および、青色読取信号のいずれか１つの信号レベルが所定値になるように、対応する上記赤色発光素子、緑色発光素子、および、青色発光素子のいずれか１つの発光素子について、１ライン点灯デューティを調整するとともに、その他の２つの発光素子について、調整にかかる発光素子と同一の上記１ライン点灯デューティを設定し、さらに、調整にかかる発光素子以外の２つの発光素子に対応した読取信号の信号レベルが上記所定値と同じ値となるように、その他の２つの発光素子の駆動電流を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、駆動電流を再設定する調整手段を備えたものである。
【０００８】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置の制御方法において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段を備え、所定の白基準画像を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を再設定するようにしたものである。
【０００９】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置の制御方法において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段を備え、所定の白基準画像を読み取って得た赤色読取信号、緑色読取信号、および、青色読取信号のいずれか１つの信号レベルが所定値になるように、対応する上記赤色発光素子、緑色発光素子、および、青色発光素子のいずれか１つの発光素子について、１ライン点灯デューティを調整するとともに、その他の２つの発光素子について、調整にかかる発光素子と同一の上記１ライン点灯デューティを設定し、さらに、調整にかかる発光素子以外の２つの発光素子に対応した読取信号の信号レベルが上記所定値と同じ値となるように、その他の２つの発光素子の駆動電流を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、駆動電流を再設定するようにしたものである。
【００１４】
【発明の実施の形態】
以下、添付図面を参照しながら、本発明の実施の形態を詳細に説明する。
【００１５】
図１は、本発明の一実施例にかかるカラー原稿読取装置の読取系の構成の一例を示している。
【００１６】
同図において、読取原稿１は、搬送ローラ対２，３に挟持された状態で、コンタクトガラス４と白基準板５の間の隙間を通り、副走査方向へ移動される。また、読取原稿１の読取位置は、カラー光源ユニット６から出力される光源光が照射され、その読取位置からの反射光は、ラインイメージセンサ７へ入射される。
【００１７】
図２は、カラー光源ユニット６の概略構成を示している。
【００１８】
同図において、このカラー光源ユニット６は、読取幅に対応した長尺な光ガイド部材１０と、この光ガイド部材１０の側面に配設されて、赤色発光ダイオード（赤色発光素子；図示略）、緑色発光ダイオード（緑色発光素子；図示略）、青色発光ダイオード（青色発光素子；図示略）を収納した発光素子収容部１１からなる。また、光源光は、光ガイド部材１０の端面に配設されているアパーチャ１２より、出力され、読取位置へと照射される。
【００１９】
図３は、本発明の一実施例にかかるカラー原稿読取装置の制御系の構成の一例を示している。
【００２０】
同図において、制御部１５は、このカラー原稿読取装置の動作を制御するものであり、メモリ１６は、制御部１５が実行する各種制御プログラムや各種データを格納するとともに、制御部１５のワークエリアを構成するものである。
【００２１】
また、メモリ１６は、複数の用途別のメモリ装置から構成されている。例えば、プログラムデータを記憶するためのＲＯＭ（リード・オンリ・メモリ）、制御部１５のワークエリアを構成するためのＲＡＭ（ランダム・アクセス・メモリ）、および、このカラー原稿読取装置に固有な各種データを保存するための不揮発性メモリ（例えば、いわゆるフラッシュＲＯＭ）から構成される。
【００２２】
モータ駆動制御部１７は、搬送ローラ対２，３を駆動する搬送モータ１８の動作を制御するものである。また、このモータ駆動制御部１７の動作は、ラインイメージセンサ７の駆動装置（図示略）から、１ライン読取動作の開始に同期して出力されるライン同期信号（図示略）に同期して行われる。
【００２３】
また、アナログ／デジタル変換器１９は、ラインイメージセンサ７からライン単位に出力される各画素位置のアナログ読取信号を入力して、対応するデジタル読取信号へ変換するものであり、このアナログ／デジタル変換器１９が出力するデジタル読取信号は、画像処理部２０へ入力される。
【００２４】
画像処理部２０は、入力されるデジタル読取信号に対してシェーディング補正演算や、空間周波数（ＭＴＦ）補正演算などの種々の画像処理を適用した後に、赤色成分、緑色成分、および、青色成分を各画素毎に合成して、１ライン分のフルカラーデータ（カラー読取信号）を形成するものである。
【００２５】
また、赤色発光ダイオードＬｒは、電流制限用抵抗Ｒｒを介してスイッチングトランジスタＱｒに接続され、緑色発光ダイオードＬｇは、電流制限用抵抗Ｒｇを介してスイッチングトランジスタＱｇに接続され、青色発光ダイオードＬｂは、電流制限用抵抗Ｒｂを介してスイッチングトランジスタＱｂに接続されている。また、それぞれのスイッチングトランジスタＱｒ，Ｑｇ，Ｑｂは、光源点灯制御部２１から出力される点灯信号Ｒｏｎ，Ｇｏｎ，Ｂｏｎにより、それぞれ点灯駆動される。
【００２６】
光源点灯制御部２１は、制御部１５から指令されるパルス幅情報（後述）に従って、スイッチングトランジスタＱｒ，Ｑｇ，Ｑｂをオンオフするための点灯信号Ｒｏｎ，Ｇｏｎ，Ｂｏｎの論理レベルを制御するものである。また、この光源点灯制御部２１の動作は、ラインイメージセンサ７の駆動装置から、１ライン読取動作の開始に同期して出力されるライン同期信号に同期して行われる。
【００２７】
また、受光素子２２は、光ガイド部材１０を介して出力される赤色発光ダイオードＬｒ、緑色発光ダイオードＬｇ、および、青色発光ダイオードＬｂの信号光を検出するものであり、その検出信号は、アナログ／デジタル変換器２３に入力されている。
【００２８】
操作表示部２４は、このカラー原稿読取装置を操作するためのものであり、各種の操作キー（図示略）、および、表示器（図示略）から構成されている。また、外部インターフェース回路２５は、このカラー原稿読取装置で読み取られたカラー画像データを外部装置へ出力するためのものである。
【００２９】
これらの制御部１５、メモリ１６、モータ駆動制御部１７、画像処理部２０、光源点灯制御部２１、アナログ／デジタル変換器２３、操作表示部２４、および、外部インターフェース回路２５は、内部バス２６に接続されており、これらの各要素間のデータのやりとりは、この内部バス２６を介して行われる。
【００３０】
したがって、受光素子２２の受光信号は、アナログ／デジタル変換器２３を介して対応するデジタル受光信号へ変換され、内部バス２６を介し、制御部１５へと入力される。
【００３１】
図４（ａ）〜（ｄ）は、光源点灯制御部２１の動作の一例を示すものである。本実施例では、１ライン分の赤色情報を読み取るためのＲ（赤色）読取期間、緑色情報を読み取るためのＧ（緑色）読取期間、および、青色情報を読み取るためのＢ（青色）読取期間により、１ライン分の画像読取期間が構成される。そして、この１ライン分の画像読取期間が、ラインイメージセンサ７の読取動作に同期し、読取原稿１が読取位置を移動する期間、繰り返し行われる。
【００３２】
また、それぞれのＲ読取期間、Ｇ読取期間、および、Ｂ読取期間は、上記したライン同期信号に同期して形成するトリガ信号ＴＲの立上り端から開始され、トリガ信号ＴＲの立下がり端で終了する。
【００３３】
そして、光源点灯制御部２１は、トリガ信号ＴＲの立上り端に同期して、Ｒ読取期間には点灯信号Ｒｏｎを、Ｇ読取期間には点灯信号Ｇｏｎを、Ｂ読取期間には点灯信号Ｂｏｎを、それぞれ論理Ｈレベルに立ち上げる。
【００３４】
また、点灯信号Ｒｏｎの論理Ｈレベルを継続する時間、すなわち、点灯信号Ｒｏｎのパルス幅Ｐｒ、点灯信号Ｇｏｎの論理Ｈレベルを継続する時間、すなわち、点灯信号Ｇｏｎのパルス幅Ｐｇ、および、点灯信号Ｂｏｎの論理Ｈレベルを継続する時間、すなわち、点灯信号Ｂｏｎのパルス幅Ｐｂは、制御部１５よりあらかじめ指定される。
【００３５】
これにより、赤色発光ダイオードＬｒは、Ｒ読取期間において、点灯信号Ｒｏｎのパルス幅Ｐｒに対応した時間点灯し、緑色発光ダイオードＬｇは、Ｇ読取期間において、点灯信号Ｇｏｎのパルス幅Ｐｇに対応した時間点灯し、青色発光ダイオードＬｂは、Ｂ読取期間において、点灯信号Ｂｏｎのパルス幅Ｐｂに対応した時間点灯する。
【００３６】
これにより、ラインイメージセンサ７からは、Ｒ読取期間に同期して１ライン分の赤色読取信号が出力され、Ｇ読取期間に同期して１ライン分の緑色読取信号が出力され、Ｂ読取期間に同期して１ライン分の青色読取信号が出力され、それによって、１ライン分のカラー読取動作が行われる。
【００３７】
そして、この１ライン分のカラー読取動作が繰り返し行われることで、１ページ分の読取原稿１の読取動作が行われる。
【００３８】
ところで、ラインイメージセンサ７の受光感度波長特性、赤色発光ダイオードＬｒ、緑色発光ダイオードＬｇおよび青色発光ダイオードＬｂの出力波長特性、および、光ガイド部材１０の光伝達波長特性により、ラインイメージセンサ７から出力される赤色読取信号、緑色読取信号、および、青色読取信号の出力レベルが大幅にばらつく。
【００３９】
そこで、本実施例では、読取原稿１の画像を読み取る前の段階で、基準白板６の画像を読み取る動作を行い、そのときにラインイメージセンサ７から出力される赤色読取信号、緑色読取信号、および、青色読取信号の出力レベルが所定値に一致するように、パルス幅Ｐｒ，Ｐｇ，Ｐｂの時間を調整する動作を行い、その結果得られたパルス幅Ｐｒ，Ｐｇ，Ｐｂの値を光源点灯制御部２１へセットすることで、赤色読取信号、緑色読取信号、および、青色読取信号の出力レベルを所定値に設定できるようにしている。
【００４０】
また、このようにして、パルス幅Ｐｒ，Ｐｇ，Ｐｂを設定すると、同一ラインについて赤色光で照射される画像部分の副走査方向の距離、緑色光で照射される画像部分の副走査方向の距離、および、青色光で照射される画像部分の副走査方向の距離がそれぞれパルス幅Ｐｒ，Ｐｇ，Ｐｂに従った値となり、ばらつくこととなる。
【００４１】
一方、画像処理部２０で行う画像処理のうち、副走査方向への画像の波及の影響を受ける処理、例えば、空間周波数補正処理等では、赤色読取信号、緑色読取信号、および、青色読取信号についてそれぞれ処理しようとする場合、同一の処理パラメータを適用すると、意図した結果を得ることができない。
【００４２】
そこで、この場合には、パルス幅Ｐｒ，Ｐｇ，Ｐｂに応じて、画像処理の副走査方向のパラメータを微調整するようにすることが好ましい。なお、この微調整の具体的な内容については、実施される画像処理の内容に応じて決定されるものであり、ここでは詳述しない。
【００４３】
そして、その微調整結果に基づく副走査方向のパラメータを画像処理部２０に登録して、それ以降の画像読取動作における画像処理が適切な態様となるようにする。
【００４４】
また、この調整動作は、１ページの読取原稿１の読取動作に先立って毎回行う。これにより、原稿読取系の光学部品の汚れや、部品の経年劣化による光学特性の変化の影響を排除することができる。
【００４５】
さらに、例えば、多数ページの読み取り動作が行われた場合など、画像読取動作の継続時間が長くなり、装置内部の温度が上昇すると、赤色発光ダイオードＬｒ、緑色発光ダイオードＬｇ、および、青色発光ダイオードＬｂの発光輝度が低下し、結果的に、読取画像の劣化が生じる。
【００４６】
そこで、かかる事態を解消するために、読取動作が所定時間よりも長く経過した場合、赤色発光ダイオードＬｒ、緑色発光ダイオードＬｇ、および、青色発光ダイオードＬｂの発光輝度を検出し、その検出値が所定値よりも小さくなった場合には、パルス幅Ｐｒ，Ｐｇ，Ｐｂの時間を調整する動作を行うとともに、その調整後のパルス幅Ｐｒ，Ｐｇ，Ｐｂに応じて画像処理部２０の画像処理の副走査方向のパラメータを微調整するようにする。
【００４７】
それにより、読取動作が長くなり、装置内部の温度が上昇して、赤色発光ダイオードＬｒ、緑色発光ダイオードＬｇ、および、青色発光ダイオードＬｂの発光輝度が低下した場合でも、読取画像の画質劣化を抑制することができる。
【００４８】
図５および図６は、制御部１５が、読取原稿の画像を読み取る前に行う読取調整動作の一例を示している。
【００４９】
まず、制御部１５は、画像処理部２０をラインイメージセンサ７の出力レベルを測定するレベル測定モードにセットし（処理１０１）、まず、赤色発光ダイオードＬｒの発光量を調整するために点灯信号Ｒｏｎのパルス幅Ｐｒを初期値にセットする（処理１０２）。
【００５０】
次いで、そのときのパルス幅Ｐｒを指定して、光源点灯制御部２１に赤色発光ダイオードＬｒを一周期点灯するように指令する（処理１０３）。これにより、光源点灯制御部２１は、点灯信号Ｒｏｎのパルス幅Ｐｒを指定された値にセットし、トリガ信号ＴＲに同期して、点灯信号Ｒｏｎを出力し、それにより、赤色発光ダイオードＬｒは、パルス幅Ｐｒに対応した期間点灯する。
【００５１】
このようにして赤色発光ダイオードＬｒが点灯すると、ラインイメージセンサ７に赤色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値）を検出し、その検出値を制御部１５に出力する。
【００５２】
制御部１５は、このときに画像処理部２０より入力した検出値を、赤色検出値Ｖｒとし、この赤色検出値Ｖｒが所定値ＶＡよりも大きいかどうかを調べる（判断１０４）。判断１０４の結果がＮＯになるときには、パルス幅Ｐｒを所定のステップ幅の時間（例えば、初期値の１／８あるいは１／１６等）延長した値に更新し（処理１０５）、処理１０３へ戻り、その更新したパルス幅Ｐｒで、再度、赤色発光ダイオードＬｒを点灯駆動させる。
【００５３】
また、判断１０４の結果がＹＥＳになるときには、そのときのパルス幅Ｐｒの値を、パルス幅Ｐｒの調整値としてメモリ１６に保存する（処理１０６）。
【００５４】
次に、緑色発光ダイオードＬｇの発光量を調整するために点灯信号Ｇｏｎのパルス幅Ｐｇを初期値にセットする（処理１０７）。
【００５５】
そして、そのときのパルス幅Ｐｇを指定して、光源点灯制御部２１に緑色発光ダイオードＬｇを一周期点灯するように指令する（処理１０８）。これにより、光源点灯制御部２１は、点灯信号Ｇｏｎのパルス幅Ｐｇを指定された値にセットし、トリガ信号ＴＲに同期して、Ｒ読取期間に点灯信号Ｇｏｎを出力し、それにより、緑色発光ダイオードＬｇは、パルス幅Ｐｇに対応した期間点灯する。
【００５６】
このようにして緑色発光ダイオードＬｇが点灯すると、ラインイメージセンサ７に緑色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値））を検出し、その検出値を制御部１５に出力する。
【００５７】
制御部１５は、このときに画像処理部２０より入力した検出値を、緑色検出値Ｖｇとし、この緑色検出値Ｖｒが所定値ＶＡよりも大きいかどうかを調べる（判断１０９）。判断１０９の結果がＮＯになるときには、パルス幅Ｐｇを所定のステップ幅の時間（例えば、初期値の１／８あるいは１／１６等）延長した値に更新し（処理１１０）、処理１０８へ戻り、その更新したパルス幅Ｐｇで、再度、緑色発光ダイオードＬｇを点灯駆動させる。
【００５８】
また、判断１０９の結果がＹＥＳになるときには、そのときのパルス幅Ｐｇの値を、パルス幅Ｐｇの調整値としてメモリ１６に保存する（処理１１１）。
【００５９】
次に、青色発光ダイオードＬｂの発光量を調整するために点灯信号Ｇｏｎのパルス幅Ｐｂを初期値にセットする（処理１１２）。
【００６０】
そして、そのときのパルス幅Ｐｂを指定して、光源点灯制御部２１に青色発光ダイオードＬｂを一周期点灯するように指令する（処理１１３）。これにより、光源点灯制御部２１は、点灯信号Ｂｏｎのパルス幅Ｐｂを指定された値にセットし、トリガ信号ＴＲに同期して、Ｒ読取期間に点灯信号Ｂｏｎを出力し、それにより、青色発光ダイオードＬｂは、パルス幅Ｐｂに対応した期間点灯する。
【００６１】
このようにして青色発光ダイオードＬｂが点灯すると、ラインイメージセンサ７に青色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値））を検出し、その検出値を制御部１５に出力する。
【００６２】
制御部１５は、このときに画像処理部２０より入力した検出値を、青色検出値Ｖｂとし、この青色検出値Ｖｒが所定値ＶＡよりも大きいかどうかを調べる（判断１１４）。判断１１４の結果がＮＯになるときには、パルス幅Ｐｂを所定のステップ幅の時間（例えば、初期値の１／８あるいは１／１６等）延長した値に更新し（処理１１５）、処理１１３へ戻り、その更新したパルス幅Ｐｂで、再度、青色発光ダイオードＬｂを点灯駆動させる。
【００６３】
また、判断１１４の結果がＹＥＳになるときには、そのときのパルス幅Ｐｂの値を、パルス幅Ｐｂの調整値としてメモリ１６に保存する（処理１１６）。
【００６４】
次いで、パルス幅Ｐｒに対応した赤色読取信号についての処理パラメータを画像処理部２０にセットし（処理１１６）、パルス幅Ｐｇに対応した緑色読取信号についての処理パラメータを画像処理部２０にセットし（処理１１７）、パルス幅Ｐｂに対応した青色読取信号についての処理パラメータを画像処理部２０にセットして（処理１１８）、この調整処理を終了する。
【００６５】
図７は、制御部１５が原稿読取時に行う読取調整動作の一例を示している。
【００６６】
まず、原稿読取開始と同時に、赤色発光ダイオードＬｒ、緑色発光ダイオードＬｇ、および、青色発光ダイオードＬｂの点灯時間を計測するためのタイマＴＴをスタートさせ（処理２０１）、タイマＴＴの計時値が所定値ＴＡよりも大きくなるか、あるいは、原稿読取が終了するかを監視する（判断２０２，２０３のＮＯループ）。タイマＴＴの計時値が所定値ＴＡよりも大きくなる前に、原稿読取が終了した場合で、判断２０３の結果がＹＥＳになると、その時点でこの処理を終了する。
【００６７】
一方、タイマＴＴの計時値が所定値ＴＡよりも大きくなり、判断２０２の結果がＹＥＳになるときには、赤色発光ダイオードＬｒの点灯期間において受光素子２２の出力を入力して、赤色輝度ＫＲを測定する（処理２０４）。
【００６８】
そして、この測定した赤色輝度ＫＲの値が所定値ＫＡよりも大きいかどうかを調べ（判断２０５）、判断２０５の結果がＮＯになるときには、パルス幅Ｐｒを所定時間延長する（処理２０６）。また、判断２０５の結果がＹＥＳになるときには、処理２０６を行わない。
【００６９】
次に、緑色発光ダイオードＬｇの点灯期間において受光素子２２の出力を入力して、緑色輝度ＫＧを測定する（処理２０７）。そして、この測定した緑色輝度ＫＧの値が所定値ＫＡよりも大きいかどうかを調べ（判断２０８）、判断２０８の結果がＮＯになるときには、パルス幅Ｐｇを所定時間延長する（処理２０９）。また、判断２０８の結果がＹＥＳになるときには、処理２０９を行わない。
【００７０】
次に、青色発光ダイオードＬｂの点灯期間において受光素子２２の出力を入力して、青色輝度ＫＢを測定する（処理２１０）。そして、この測定した青色輝度ＫＢの値が所定値ＫＡよりも大きいかどうかを調べ（判断２１１）、判断２１１の結果がＮＯになるときには、パルス幅Ｐｂを所定時間延長する（処理２１２）。また、判断２１１の結果がＹＥＳになるときには、処理２１２を行わない。
【００７１】
そして、パルス幅Ｐｒに対応した赤色読取信号についての処理パラメータを画像処理部２０にセットし（処理２１３）、パルス幅Ｐｇに対応した緑色読取信号についての処理パラメータを画像処理部２０にセットし（処理２１４）、パルス幅Ｐｂに対応した青色読取信号についての処理パラメータを画像処理部２０にセットする（処理２１５）。
【００７２】
次いで、原稿読取が終了したかどうかを調べ（判断２１６）、判断２１６の結果がＮＯになるときには、処理２０４へ戻り、赤色発光ダイオードＬｒ、緑色発光ダイオードＬｇ、および、青色発光ダイオードＬｂの発光輝度の調整を継続して実行する。また、判断２１６の結果がＹＥＳになるときには、この動作を終了する。
【００７３】
ところで、上述したように、パルス幅Ｐｒ，Ｐｇ，Ｐｂを設定すると、同一ラインについて赤色光で照射される画像部分の副走査方向の距離、緑色光で照射される画像部分の副走査方向の距離、および、青色光で照射される画像部分の副走査方向の距離がそれぞれパルス幅Ｐｒ，Ｐｇ，Ｐｂに従った値となり、ばらつくこととなる。
【００７４】
そこで、パルス幅Ｐｒ，Ｐｇ，Ｐｂに応じて、同一ラインについて赤色光で照射される画像部分の副走査方向の距離、緑色光で照射される画像部分の副走査方向の距離、および、青色光で照射される画像部分の副走査方向の距離が、それぞれ同一距離となるように読取原稿１の搬送速度を制御することで、上述したばらつきを解消することができる。
【００７５】
例えば、図８（ｂ），（ｃ），（ｄ）に示したように、それぞれＲ読取期間におけるパルス幅Ｐｒ、Ｇ読取期間におけるパルス幅Ｐｇ、Ｂ読取期間におけるパルス幅Ｐｂが設定されているとき、同図（ｅ）に示すように、パルス幅Ｐｒの間に読取原稿１が搬送される搬送量であるＲ読取幅、パルス幅Ｐｇの間に読取原稿１が搬送される搬送量であるＧ読取幅、パルス幅Ｐｂの間に読取原稿１が搬送される搬送量であるＢ読取幅が、それぞれ同一距離となるように、Ｒ読取期間のパルス幅Ｐｒにおける搬送速度、Ｒ読取期間のパルス幅Ｐｒの後の期間における搬送速度、Ｇ読取期間のパルス幅Ｐｇにおける搬送速度、Ｇ読取期間のパルス幅Ｐｇの後の期間における搬送速度、Ｂ読取期間のパルス幅Ｐｂにおける搬送速度、および、Ｂ読取期間のパルス幅Ｐｂの後の期間における搬送速度をそれぞれ設定する）。
【００７６】
このようにすることで、画像処理部２０で行う画像処理のうち、副走査方向への画像の波及の影響を受ける処理の処理パラメータを赤色読取信号、緑色読取信号、および、青色読取信号で共通にすることができるとともに、Ｒ読取幅、Ｇ読取幅、および、Ｂ読取幅が全て同一となるので、適切な読取動作を行うことができる。
【００７７】
図９および図１０は、制御部１５が、読取原稿の画像を読み取る前に行う読取調整動作の他の例を示している。
【００７８】
まず、制御部１５は、画像処理部２０をラインイメージセンサ７の出力レベルを測定するレベル測定モードにセットし（処理３０１）、まず、赤色発光ダイオードＬｒの発光量を調整するために点灯信号Ｒｏｎのパルス幅Ｐｒを初期値にセットする（処理３０２）。
【００７９】
次いで、そのときのパルス幅Ｐｒを指定して、光源点灯制御部２１に赤色発光ダイオードＬｒを一周期点灯するように指令する（処理３０３）。これにより、光源点灯制御部２１は、点灯信号Ｒｏｎのパルス幅Ｐｒを指定された値にセットし、トリガ信号ＴＲに同期して、点灯信号Ｒｏｎを出力し、それにより、赤色発光ダイオードＬｒは、パルス幅Ｐｒに対応した期間点灯する。
【００８０】
このようにして赤色発光ダイオードＬｒが点灯すると、ラインイメージセンサ７に赤色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値）を検出し、その検出値を制御部１５に出力する。
【００８１】
制御部１５は、このときに画像処理部２０より入力した検出値を、赤色検出値Ｖｒとし、この赤色検出値Ｖｒが所定値ＶＡよりも大きいかどうかを調べる（判断３０４）。判断３０４の結果がＮＯになるときには、パルス幅Ｐｒを所定のステップ幅の時間（例えば、初期値の１／８あるいは１／１６等）延長した値に更新し（処理３０５）、処理３０３へ戻り、その更新したパルス幅Ｐｒで、再度、赤色発光ダイオードＬｒを点灯駆動させる。
【００８２】
また、判断３０４の結果がＹＥＳになるときには、そのときのパルス幅Ｐｒの値を、パルス幅Ｐｒの調整値としてメモリ１６に保存する（処理３０６）。
【００８３】
次に、緑色発光ダイオードＬｇの発光量を調整するために点灯信号Ｇｏｎのパルス幅Ｐｇを初期値にセットする（処理３０７）。
【００８４】
そして、そのときのパルス幅Ｐｇを指定して、光源点灯制御部２１に緑色発光ダイオードＬｇを一周期点灯するように指令する（処理３０８）。これにより、光源点灯制御部２１は、点灯信号Ｇｏｎのパルス幅Ｐｇを指定された値にセットし、トリガ信号ＴＲに同期して、Ｒ読取期間に点灯信号Ｇｏｎを出力し、それにより、緑色発光ダイオードＬｇは、パルス幅Ｐｇに対応した期間点灯する。
【００８５】
このようにして緑色発光ダイオードＬｇが点灯すると、ラインイメージセンサ７に緑色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値））を検出し、その検出値を制御部１５に出力する。
【００８６】
制御部１５は、このときに画像処理部２０より入力した検出値を、緑色検出値Ｖｇとし、この緑色検出値Ｖｒが所定値ＶＡよりも大きいかどうかを調べる（判断３０９）。判断３０９の結果がＮＯになるときには、パルス幅Ｐｇを所定のステップ幅の時間（例えば、初期値の１／８あるいは１／１６等）延長した値に更新し（処理３１０）、処理３０８へ戻り、その更新したパルス幅Ｐｇで、再度、緑色発光ダイオードＬｇを点灯駆動させる。
【００８７】
また、判断３０９の結果がＹＥＳになるときには、そのときのパルス幅Ｐｇの値を、パルス幅Ｐｇの調整値としてメモリ１６に保存する（処理３１１）。
【００８８】
次に、青色発光ダイオードＬｂの発光量を調整するために点灯信号Ｇｏｎのパルス幅Ｐｂを初期値にセットする（処理３１２）。
【００８９】
そして、そのときのパルス幅Ｐｂを指定して、光源点灯制御部２１に青色発光ダイオードＬｂを一周期点灯するように指令する（処理３１３）。これにより、光源点灯制御部２１は、点灯信号Ｂｏｎのパルス幅Ｐｂを指定された値にセットし、トリガ信号ＴＲに同期して、Ｒ読取期間に点灯信号Ｂｏｎを出力し、それにより、青色発光ダイオードＬｂは、パルス幅Ｐｂに対応した期間点灯する。
【００９０】
このようにして青色発光ダイオードＬｂが点灯すると、ラインイメージセンサ７に青色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値））を検出し、その検出値を制御部１５に出力する。
【００９１】
制御部１５は、このときに画像処理部２０より入力した検出値を、青色検出値Ｖｂとし、この青色検出値Ｖｒが所定値ＶＡよりも大きいかどうかを調べる（判断３１４）。判断３１４の結果がＮＯになるときには、パルス幅Ｐｂを所定のステップ幅の時間（例えば、初期値の１／８あるいは１／１６等）延長した値に更新し（処理３１５）、処理３１３へ戻り、その更新したパルス幅Ｐｂで、再度、青色発光ダイオードＬｂを点灯駆動させる。
【００９２】
また、判断３１４の結果がＹＥＳになるときには、そのときのパルス幅Ｐｂの値を、パルス幅Ｐｂの調整値としてメモリ１６に保存する（処理３１６）。
【００９３】
次いで、Ｒ読取期間のパルス幅Ｐｒにおける搬送速度とＲ読取期間のパルス幅Ｐｒの後の期間における搬送速度をあらわすＲ読取時モータ駆動パターンをモータ駆動制御部１７にセットし（処理３１６）、Ｇ読取期間のパルス幅Ｐｇにおける搬送速度とＧ読取期間のパルス幅Ｐｇの後の期間における搬送速度をあらわすＧ読取時モータ駆動パターンをモータ駆動制御部１７にセットし（処理３１７）、Ｂ読取期間のパルス幅Ｐｂにおける搬送速度とＢ読取期間のパルス幅Ｐｂの後の期間における搬送速度をあらわすＢ読取時モータ駆動パターンをモータ駆動制御部１７にセットして（処理３１８）、この調整処理を終了する。
【００９４】
ここで、Ｒ読取時モータ駆動パターン、Ｇ読取時モータ駆動パターン、および、Ｂ読取時モータ駆動パターンは、副走査方向の読取解像度とパルス幅Ｐｒ，Ｐｇ，Ｐｂによりそれぞれ決定されるので、あらかじめ作成して保持することが可能である。
【００９５】
図１１は、制御部１５が原稿読取時に行う読取調整動作の他の例を示している。
【００９６】
まず、原稿読取開始と同時に、赤色発光ダイオードＬｒ、緑色発光ダイオードＬｇ、および、青色発光ダイオードＬｂの点灯時間を計測するためのタイマＴＴをスタートさせ（処理４０１）、タイマＴＴの計時値が所定値ＴＡよりも大きくなるか、あるいは、原稿読取が終了するかを監視する（判断４０２，４０３のＮＯループ）。タイマＴＴの計時値が所定値ＴＡよりも大きくなる前に、原稿読取が終了した場合で、判断４０３の結果がＹＥＳになると、その時点でこの処理を終了する。
【００９７】
一方、タイマＴＴの計時値が所定値ＴＡよりも大きくなり、判断４０２の結果がＹＥＳになるときには、赤色発光ダイオードＬｒの点灯期間において受光素子２２の出力を入力して、赤色輝度ＫＲを測定する（処理４０４）。
【００９８】
そして、この測定した赤色輝度ＫＲの値が所定値ＫＡよりも大きいかどうかを調べ（判断４０５）、判断４０５の結果がＮＯになるときには、パルス幅Ｐｒを所定時間延長する（処理４０６）。また、判断４０５の結果がＹＥＳになるときには、処理４０６を行わない。
【００９９】
次に、緑色発光ダイオードＬｇの点灯期間において受光素子２２の出力を入力して、緑色輝度ＫＧを測定する（処理４０７）。そして、この測定した緑色輝度ＫＧの値が所定値ＫＡよりも大きいかどうかを調べ（判断４０８）、判断４０８の結果がＮＯになるときには、パルス幅Ｐｇを所定時間延長する（処理４０９）。また、判断４０８の結果がＹＥＳになるときには、処理４０９を行わない。
【０１００】
次に、青色発光ダイオードＬｂの点灯期間において受光素子２２の出力を入力して、青色輝度ＫＢを測定する（処理４１０）。そして、この測定した青色輝度ＫＢの値が所定値ＫＡよりも大きいかどうかを調べ（判断４１１）、判断４１１の結果がＮＯになるときには、パルス幅Ｐｂを所定時間延長する（処理４１２）。また、判断４１１の結果がＹＥＳになるときには、処理４１２を行わない。
【０１０１】
そして、Ｒ読取期間のパルス幅Ｐｒにおける搬送速度とＲ読取期間のパルス幅Ｐｒの後の期間における搬送速度をあらわすＲ読取時モータ駆動パターンをモータ駆動制御部１７にセットし（処理４１３）、Ｇ読取期間のパルス幅Ｐｇにおける搬送速度とＧ読取期間のパルス幅Ｐｇの後の期間における搬送速度をあらわすＧ読取時モータ駆動パターンをモータ駆動制御部１７にセットし（処理４１４）、Ｂ読取期間のパルス幅Ｐｂにおける搬送速度とＢ読取期間のパルス幅Ｐｂの後の期間における搬送速度をあらわすＢ読取時モータ駆動パターンをモータ駆動制御部１７にセットする（処理４１５）。
【０１０２】
次いで、原稿読取が終了したかどうかを調べ（判断４１６）、判断４１６の結果がＮＯになるときには、処理４０４へ戻り、赤色発光ダイオードＬｒ、緑色発光ダイオードＬｇ、および、青色発光ダイオードＬｂの発光輝度の調整を継続して実行する。また、判断４１６の結果がＹＥＳになるときには、この動作を終了する。
【０１０３】
図１２は、本発明の他の実施例にかかるカラー原稿読取装置の制御系の構成の一例を示している。なお、同図において、図３と同一部分または相当する部分には、同一符号を付している。
【０１０４】
同図において、制御部２５は、このカラー原稿読取装置の動作を制御するものであり、メモリ１６は、制御部１５が実行する各種制御プログラムや各種データを格納するとともに、制御部１５のワークエリアを構成するものである。
【０１０５】
また、メモリ１６は、複数の用途別のメモリ装置から構成されている。例えば、プログラムデータを記憶するためのＲＯＭ（リード・オンリ・メモリ）、制御部１５のワークエリアを構成するためのＲＡＭ（ランダム・アクセス・メモリ）、および、このカラー原稿読取装置に固有な各種データを保存するための不揮発性メモリ（例えば、いわゆるフラッシュＲＯＭ）から構成される。
【０１０６】
モータ駆動制御部１７は、搬送ローラ対２，３を駆動する搬送モータ１８の動作を制御するものである。また、このモータ駆動制御部１７の動作は、ラインイメージセンサ７の駆動装置（図示略）から、１ライン読取動作の開始に同期して出力されるライン同期信号（図示略）に同期して行われる。
【０１０７】
また、アナログ／デジタル変換器１９は、ラインイメージセンサ７からライン単位に出力される各画素位置のアナログ読取信号を入力して、対応するデジタル読取信号へ変換するものであり、このアナログ／デジタル変換器１９が出力するデジタル読取信号は、画像処理部２０へ入力される。
【０１０８】
画像処理部２０は、入力されるデジタル読取信号に対してシェーディング補正演算や、空間周波数（ＭＴＦ）補正演算などの種々の画像処理を適用した後に、赤色成分、緑色成分、および、青色成分を各画素毎に合成して、１ライン分のフルカラーデータ（カラー読取信号）を形成するものである。
【０１０９】
また、赤色発光ダイオードＬｒは、電流制限用抵抗Ｒｒを介して定電流回路２７に接続され、緑色発光ダイオードＬｇは、電流制限用抵抗Ｒｇを介して定電流回路２８に接続され、青色発光ダイオードＬｂは、電流制限用抵抗Ｒｂを介して定電流回路２９に接続されている。
【０１１０】
また、それぞれの定電流回路２７，２８，２９は、光源点灯制御部２１から出力される点灯信号Ｒｏｎ，Ｇｏｎ，Ｂｏｎにより、それぞれ点灯周期が制御されるとともに、光源点灯制御部２１から出力される駆動電流信号Ｒｃｔ，Ｇｃｔ，Ｂｃｔにより、赤色発光ダイオードＬｒ、緑色発光ダイオードＬｇ、および、青色発光ダイオードＬｂに印加する電流を設定する。
【０１１１】
光源点灯制御部２６は、制御部１５から指令されるパルス幅情報（後述）に従って、スイッチングトランジスタＱｒ，Ｑｇ，Ｑｂをオンオフするための点灯信号Ｒｏｎ，Ｇｏｎ，Ｂｏｎの論理レベルを制御するとともに、制御部１５から指令される電流値または電流印加パターンに基づいて、駆動電流信号Ｒｃｔ，Ｇｃｔ，Ｂｃｔを制御するものである。また、この光源点灯制御部２１の動作は、ラインイメージセンサ７の駆動装置から、１ライン読取動作の開始に同期して出力されるライン同期信号に同期して行われる。
【０１１２】
また、受光素子２２は、光ガイド部材１０を介して出力される赤色発光ダイオードＬｒ、緑色発光ダイオードＬｇ、および、青色発光ダイオードＬｂの信号光を検出するものであり、その検出信号は、アナログ／デジタル変換器２３に入力されている。
【０１１３】
操作表示部２４は、このカラー原稿読取装置を操作するためのものであり、各種の操作キー（図示略）、および、表示器（図示略）から構成されている。また、外部インターフェース回路２５は、このカラー原稿読取装置で読み取られたカラー画像データを外部装置へ出力するためのものである。
【０１１４】
これらの制御部２５、メモリ１６、モータ駆動制御部１７、画像処理部２０、光源点灯制御部２６、アナログ／デジタル変換器２３、操作表示部２４、および、外部インターフェース回路２５は、内部バス２６に接続されており、これらの各要素間のデータのやりとりは、この内部バス２６を介して行われる。
【０１１５】
したがって、受光素子２２の受光信号は、アナログ／デジタル変換器２３を介して対応するデジタル受光信号へ変換され、内部バス２６を介し、制御部１５へと入力される。
【０１１６】
図１３（ａ）〜（ｇ）は、光源点灯制御部２６の動作の一例を示すものである。本実施例では、１ライン分の赤色情報を読み取るためのＲ（赤色）読取期間、緑色情報を読み取るためのＧ（緑色）読取期間、および、青色情報を読み取るためのＢ（青色）読取期間により、１ライン分の画像読取期間が構成される。そして、この１ライン分の画像読取期間が、ラインイメージセンサ７の読取動作に同期し、読取原稿１が読取位置を移動する期間、繰り返し行われる。
【０１１７】
また、それぞれのＲ読取期間、Ｇ読取期間、および、Ｂ読取期間は、上記したライン同期信号に同期して形成するトリガ信号ＴＲの立上り端から開始され、トリガ信号ＴＲの立下がり端で終了する。
【０１１８】
そして、光源点灯制御部２６は、トリガ信号ＴＲの立上り端に同期して、Ｒ読取期間には点灯信号Ｒｏｎを、Ｇ読取期間には点灯信号Ｇｏｎを、Ｂ読取期間には点灯信号Ｂｏｎを、それぞれ論理Ｈレベルに立ち上げる。
【０１１９】
また、本実施例では、点灯信号Ｒｏｎの論理Ｈレベルを継続する時間、すなわち、点灯信号Ｒｏｎのパルス幅Ｐｒ、点灯信号Ｇｏｎの論理Ｈレベルを継続する時間、すなわち、点灯信号Ｇｏｎのパルス幅Ｐｇ、および、点灯信号Ｂｏｎの論理Ｈレベルを継続する時間、すなわち、点灯信号Ｂｏｎのパルス幅Ｐｂは、制御部１６よりあらかじめ指定され、それらのパルス幅Ｐｒ，Ｐｇ，Ｐｂは、同一の値が適用される。
【０１２０】
これにより、赤色発光ダイオードＬｒは、Ｒ読取期間において、点灯信号Ｒｏｎのパルス幅Ｐｒに対応した時間点灯し、緑色発光ダイオードＬｇは、Ｇ読取期間において、点灯信号Ｇｏｎのパルス幅Ｐｇに対応した時間点灯し、青色発光ダイオードＬｂは、Ｂ読取期間において、点灯信号Ｂｏｎのパルス幅Ｐｂに対応した時間点灯する。
【０１２１】
これにより、ラインイメージセンサ７からは、Ｒ読取期間に同期して１ライン分の赤色読取信号が出力され、Ｇ読取期間に同期して１ライン分の緑色読取信号が出力され、Ｂ読取期間に同期して１ライン分の青色読取信号が出力され、それによって、１ライン分のカラー読取動作が行われる。
【０１２２】
そして、この１ライン分のカラー読取動作が繰り返し行われることで、１ページ分の読取原稿１の読取動作が行われる。
【０１２３】
ところで、ラインイメージセンサ７の受光感度波長特性、赤色発光ダイオードＬｒ、緑色発光ダイオードＬｇおよび青色発光ダイオードＬｂの出力波長特性、および、光ガイド部材１０の光伝達波長特性により、ラインイメージセンサ７から出力される赤色読取信号、緑色読取信号、および、青色読取信号の出力レベルが大幅にばらつく。
【０１２４】
そこで、本実施例では、読取原稿１の画像を読み取る前の段階で、基準白板６の画像を読み取る動作を行い、そのときにラインイメージセンサ７から出力される赤色読取信号の出力レベルが所定値に一致するように、パルス幅Ｐｒを調整する動作を行い、その結果得られたパルス幅Ｐｒを、他のパルス幅Ｐｇ，Ｐｂにも適用する。
【０１２５】
そして、パルス幅Ｐｇを適用して緑色発光ダイオードＬｇを点灯した際にラインイメージセンサ７から出力される緑色読取信号の出力レベルが、所定値に一致するように、緑色発光ダイオードＬｇに印加する駆動電流の値、または、印加パターンを調整するとともに、パルス幅Ｐｂを適用して青色発光ダイオードＬｂを点灯した際にラインイメージセンサ７から出力される青色読取信号の出力レベルが、所定値に一致するように、青色発光ダイオードＬｂに印加する駆動電流の値、または、印加パターンを調整する（図１３（ｆ），（ｇ）参照）。
【０１２６】
また、この場合、赤色発光ダイオードＬｒの駆動電流は一定であってよい（図１３（ｅ）参照）。
【０１２７】
このようにして、パルス幅Ｐｒ，Ｐｇ，Ｐｂ、および、赤色発光ダイオードＬｒ、緑色発光ダイオードＬｇ、および、青色発光ダイオードＬｂの駆動電流（または駆動電流パターン）を調整することで、適切なカラー画像読取動作が可能となる。
【０１２８】
また、この場合、パルス幅Ｐｒ，Ｐｇ，Ｐｂは一定なので、同一ラインについて赤色光で照射される画像部分の副走査方向の距離、緑色光で照射される画像部分の副走査方向の距離、および、青色光で照射される画像部分の副走査方向の距離が、それぞれ等しい値となり、画像処理部２０で行う画像処理のうち、副走査方向への画像の波及の影響を受ける処理について考慮する必要がなくなる。
【０１２９】
図１４は、制御部２５が、読取原稿の画像を読み取る前に行う読取調整動作の一例を示している。
【０１３０】
まず、制御部２５は、画像処理部２０をラインイメージセンサ７の出力レベルを測定するレベル測定モードにセットし（処理５０１）、まず、赤色発光ダイオードＬｒの発光量を調整するために点灯信号Ｒｏｎのパルス幅Ｐｒを初期値にセットする（処理５０２）。
【０１３１】
次いで、そのときのパルス幅Ｐｒと、所定の駆動電流値を指定して、光源点灯制御部２６に赤色発光ダイオードＬｒを一周期点灯するように指令する（処理５０３）。これにより、光源点灯制御部２６は、点灯信号Ｒｏｎのパルス幅Ｐｒを指定された値にセットし、トリガ信号ＴＲに同期して、点灯信号Ｒｏｎを出力するとともに、所定値の駆動電流信号Ｒｃｔを出力し、それにより、赤色発光ダイオードＬｒは、パルス幅Ｐｒに対応した期間、一定の輝度で点灯する。
【０１３２】
このようにして赤色発光ダイオードＬｒが点灯すると、ラインイメージセンサ７に赤色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値）を検出し、その検出値を制御部２５に出力する。
【０１３３】
制御部２５は、このときに画像処理部２０より入力した検出値を、赤色検出値Ｖｒとし、この赤色検出値Ｖｒが所定値ＶＡよりも大きいかどうかを調べる（判断５０４）。判断５０４の結果がＮＯになるときには、パルス幅Ｐｒを所定のステップ幅の時間（例えば、初期値の１／８あるいは１／１６等）延長した値に更新し（処理５０５）、処理５０３へ戻り、その更新したパルス幅Ｐｒで、再度、赤色発光ダイオードＬｒを点灯駆動させる。
【０１３４】
また、判断５０４の結果がＹＥＳになるときには、そのときのパルス幅Ｐｒの値を、パルス幅Ｐｒの調整値としてメモリ１６に保存する（処理５０６）とともに、同じ値をパルス幅Ｐｇ，Ｐｂの調整値としてセットする（処理５０７）。
【０１３５】
次に、緑色発光ダイオードＬｇの発光量を調整するために緑色発光ダイオードＬｇに印加する駆動電流の印加パターンを初期の態様にセットする（処理５０８）。
【０１３６】
そして、そのときのパルス幅Ｐｇおよび電流印加パターンを指定して、光源点灯制御部２６に緑色発光ダイオードＬｇを一周期点灯するように指令する（処理５０９）。これにより、光源点灯制御部２６は、点灯信号Ｇｏｎのパルス幅Ｐｇを指定された値にセットし、トリガ信号ＴＲに同期して、Ｒ読取期間に点灯信号Ｇｏｎを出力するとともに、駆動電流信号Ｇｃｔを指定された電流印加パターンに応じて変化させ、それにより、緑色発光ダイオードＬｇは、パルス幅Ｐｇに対応した期間、指定された電流印加パターンに応じて変化する輝度で点灯する。
【０１３７】
このようにして緑色発光ダイオードＬｇが点灯すると、ラインイメージセンサ７に緑色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値））を検出し、その検出値を制御部２５に出力する。
【０１３８】
制御部２５は、このときに画像処理部２０より入力した検出値を、緑色検出値Ｖｇとし、この緑色検出値Ｖｒが所定値ＶＡよりも大きいかどうかを調べる（判断５１０）。判断５１０の結果がＮＯになるときには、電流印加パターンを所定の態様に更新し（処理５１１）、処理５０９へ戻り、その更新した電流印加パターンで、再度、緑色発光ダイオードＬｇを点灯駆動させる。
【０１３９】
また、判断５１０の結果がＹＥＳになるときには、そのときの電流印加パターンの態様（例えば、識別番号等）の値を、電流印加パターンの調整値としてメモリ１６に保存する（処理５１２）。
【０１４０】
次に、青色発光ダイオードＬｂの発光量を調整するために青色発光ダイオードＬｂに印加する駆動電流の印加パターンを初期の態様にセットする（処理５１３）。
【０１４１】
そして、そのときのパルス幅Ｐｂおよび電流印加パターンを指定して、光源点灯制御部２６に青色発光ダイオードＬｂを一周期点灯するように指令する（処理５１４）。これにより、光源点灯制御部２６は、点灯信号Ｂｏｎのパルス幅Ｐｂを指定された値にセットし、トリガ信号ＴＲに同期して、Ｒ読取期間に点灯信号Ｂｏｎを出力するとともに、駆動電流信号Ｂｃｔを指定された電流印加パターンに応じて変化させ、それにより、青色発光ダイオードＬｂは、パルス幅Ｐｂに対応した期間、指定された電流印加パターンに応じて変化する輝度で点灯する。
【０１４２】
このようにして青色発光ダイオードＬｂが点灯すると、ラインイメージセンサ７に青色光が照射されるので、ラインイメージセンサ７からは、そのときの発光量に応じたアナログ読取信号が１ライン分出力され、そのアナログ読取信号は、アナログ／デジタル変換器１９により対応するデジタル読取信号に変換されて画像処理部２０へ出力される。このとき、画像処理部２０では、１ライン分のデジタル読取信号のレベル（例えば、ピーク値、あるいは、平均値））を検出し、その検出値を制御部２５に出力する。
【０１４３】
制御部２５は、このときに画像処理部２０より入力した検出値を、青色検出値Ｖｂとし、この青色検出値Ｖｒが所定値ＶＡよりも大きいかどうかを調べる（判断５１５）。判断５１５の結果がＮＯになるときには、電流印加パターンを所定の態様に更新し（処理５１６）、処理５１４へ戻り、その更新した電流印加パターンで、再度、青色発光ダイオードＬｂを点灯駆動させる。
【０１４４】
また、判断５１５の結果がＹＥＳになるときには、そのときの電流印加パターンの態様（例えば、識別番号等）の値を、電流印加パターンの調整値としてメモリ１６に保存する（処理５１７）。
【０１４５】
図１５は、制御部２５が原稿読取時に行う読取調整動作の他の例を示している。
【０１４６】
まず、原稿読取開始と同時に、赤色発光ダイオードＬｒ、緑色発光ダイオードＬｇ、および、青色発光ダイオードＬｂの点灯時間を計測するためのタイマＴＴをスタートさせ（処理６０１）、タイマＴＴの計時値が所定値ＴＡよりも大きくなるか、あるいは、原稿読取が終了するかを監視する（判断６０２，６０３のＮＯループ）。タイマＴＴの計時値が所定値ＴＡよりも大きくなる前に、原稿読取が終了した場合で、判断６０３の結果がＹＥＳになると、その時点でこの処理を終了する。
【０１４７】
一方、タイマＴＴの計時値が所定値ＴＡよりも大きくなり、判断６０２の結果がＹＥＳになるときには、赤色発光ダイオードＬｒの点灯期間において受光素子２２の出力を入力して、赤色輝度ＫＲを測定する（処理６０４）。
【０１４８】
そして、この測定した赤色輝度ＫＲの値が所定値ＫＡよりも大きいかどうかを調べ（判断６０５）、判断６０５の結果がＮＯになるときには、電流印加パターンを所定の態様（輝度の増大方向）に更新する（処理６０６）。また、判断６０５の結果がＹＥＳになるときには、処理６０６を行わない。
【０１４９】
次に、緑色発光ダイオードＬｇの点灯期間において受光素子２２の出力を入力して、緑色輝度ＫＧを測定する（処理６０７）。そして、この測定した緑色輝度ＫＧの値が所定値ＫＡよりも大きいかどうかを調べ（判断６０８）、判断６０８の結果がＮＯになるときには、電流印加パターンを所定の態様（輝度の増大方向）に更新する（処理６０９）。また、判断６０８の結果がＹＥＳになるときには、処理６０９を行わない。
【０１５０】
次に、青色発光ダイオードＬｂの点灯期間において受光素子２２の出力を入力して、青色輝度ＫＢを測定する（処理６１０）。そして、この測定した青色輝度ＫＢの値が所定値ＫＡよりも大きいかどうかを調べ（判断６１１）、判断６１１の結果がＮＯになるときには、電流印加パターンを所定の態様（輝度の増大方向）に更新する（処理６１２）。また、判断６１１の結果がＹＥＳになるときには、処理４１２を行わない。
【０１５１】
そして、原稿読取が終了したかどうかを調べ（判断６１２）、判断６１２の結果がＮＯになるときには、処理６０４へ戻り、赤色発光ダイオードＬｒ、緑色発光ダイオードＬｇ、および、青色発光ダイオードＬｂの発光輝度の調整を継続して実行する。また、判断４１６の結果がＹＥＳになるときには、この動作を終了する。
【０１５２】
ところで、上述した実施例では、各ページの読み取り原稿の読み取り動作の直前に、白基準板５の画像を読み取って読取調整動作を行うようにしているが、この読取調整動作は、このタイミングで行わなくとも良い。例えば、このカラー原稿読取装置の製造工程において特別な調整モードを実行し、工場内で品質管理された白基準画像が記録された白基準シートを読み込み、その読取時において同様の調整処理を行うようにすることができる。また、その場合、その調整結果得られた調整値、例えば、パルス幅Ｐｒ，Ｐｇ，Ｐｂ等は、不揮発性記憶装置（図示略）に保存しておき、各ページの読み取り動作に先立って、そのパルス幅Ｐｒ，Ｐｇ，Ｐｂを読み込み、対応する要素にセットすると良い。
【０１５３】
なお、上述した実施例では、本発明をカラー原稿読取装置に適用した場合について説明したが、本発明は、同様のカラー原稿読取機能を備えたカラーファクシミリ装置や、カラー原稿読取機能およびカラープリンタ機能を備えた複合装置等にも同様にして適用することができる。
【０１５４】
また、カラー原稿読取装置の搬送光学系の構造、および、原稿ユニットの構造は、上述したものに限ることはない。
【０１５５】
【発明の効果】
以上説明したように、本発明によれば、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段と、所定の白基準画像を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色読取信号、緑色読取信号、および、青色読取信号に対して上記画像処理手段が適用する画像処理の、副走査方向の処理係数を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色読取信号、緑色読取信号、および、青色読取信号に対して上記画像処理手段が適用する画像処理の、副走査方向の処理係数を再設定する調整手段を備えたので、カラー原稿の読み取り結果を適切なものにすることができるとともに、より高画質のカラー画像を得ることができるという効果を得る。
【０１５６】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段と、上記白基準板を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を再設定する調整手段を備えたので、カラー原稿の読み取り結果を適切なものにすることができるとともに、より高画質のカラー画像を得ることができるという効果を得る。
【０１５７】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段と、上記白基準板を読み取って得た赤色読取信号、緑色読取信号、および、青色読取信号のいずれか１つの信号レベルが所定値になるように、対応する上記赤色発光素子、緑色発光素子、および、青色発光素子のいずれか１つの発光素子について、１ライン点灯デューティを調整するとともに、その他の２つの発光素子について、調整にかかる発光素子と同一の上記１ライン点灯デューティを設定し、さらに、調整にかかる発光素子の出力レベルと同じ値となるように、その他の２つの発光素子の駆動電流を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、駆動電流を再設定する調整手段を備えたので、カラー原稿の読み取り結果を適切なものにすることができるとともに、より高画質のカラー画像を得ることができるという効果を得る。
【０１５８】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置の制御方法において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段を備え、所定の白基準画像を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色読取信号、緑色読取信号、および、青色読取信号に対して上記画像処理手段が適用する画像処理の、副走査方向の処理係数を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色読取信号、緑色読取信号、および、青色読取信号に対して上記画像処理手段が適用する画像処理の、副走査方向の処理係数を再設定するようにしたので、カラー原稿の読み取り結果を適切なものにすることができるとともに、より高画質のカラー画像を得ることができるという効果を得る。
【０１５９】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置の制御方法において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段を備え、上記白基準板を読み取って得た赤色読取信号、緑色読取信号、および、青色読取信号の信号レベルが所定値になるように、上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、１ライン点灯デューティを調整するとともに、上記赤色発光素子、緑色発光素子、および、青色発光素子のそれぞれの１ライン点灯デューティに応じて、上記赤色発光素子、緑色発光素子、および、青色発光素子の点灯期間における上記読取原稿の搬送距離がそれぞれ所定値となるように上記読取原稿の搬送速度を再設定するようにしたので、カラー原稿の読み取り結果を適切なものにすることができるとともに、より高画質のカラー画像を得ることができるという効果を得る。
【０１６０】
また、読取原稿上の原稿読取位置を副走査方向へ相対的に移動するとともに、赤色発光素子、緑色発光素子、および、青色発光素子を切り換えて発光させて、上記赤色発光素子、緑色発光素子、および、青色発光素子からそれぞれ出力される赤色光、緑色光、および、青色光を、光ガイド部材を介して上記読取原稿の原稿読取位置へ照射し、その原稿読取位置から反射された画像光をラインイメージセンサへ導き、そのラインイメージセンサから出力される赤色読取信号、緑色読取信号、および、青色読取信号を、１ライン分のカラー読取信号として出力するカラー原稿読取装置の制御方法において、上記光ガイド部材から照射される上記赤色光、緑色光、および、青色光を受光可能な位置に配設された受光素子と、上記赤色読取信号、緑色読取信号、および、青色読取信号のそれぞれに対して、所定の画像処理を適用する画像処理手段を備え、上記白基準板を読み取って得た赤色読取信号、緑色読取信号、および、青色読取信号のいずれか１つの信号レベルが所定値になるように、対応する上記赤色発光素子、緑色発光素子、および、青色発光素子のいずれか１つの発光素子について、１ライン点灯デューティを調整するとともに、その他の２つの発光素子について、調整にかかる発光素子と同一の上記１ライン点灯デューティを設定し、さらに、調整にかかる発光素子の出力レベルと同じ値となるように、その他の２つの発光素子の駆動電流を設定する一方、カラー画像読取時、上記受光素子の受光信号に基づいて、上記赤色光、緑色光、および、青色光の輝度を検出し、その検出値が所定値以上となるように上記赤色発光素子、緑色発光素子、および、青色発光素子のおのおのについて、駆動電流を再設定するようにしたので、カラー原稿の読み取り結果を適切なものにすることができるとともに、より高画質のカラー画像を得ることができるという効果を得る。
【図面の簡単な説明】
【図１】本発明の一実施例にかかるカラー原稿読取装置の読取系の構成の一例を示した概略構成図。
【図２】カラー光源ユニット６の概略構成を示した概略斜視図。
【図３】本発明の一実施例にかかるカラー原稿読取装置の制御系の構成の一例を示したブロック図。
【図４】光源点灯制御部２１の動作の一例を示した波形図。
【図５】制御部１５が行う読取調整動作の一例を示したフローチャート。
【図６】制御部１５が行う読取調整動作の一例を示したフローチャート（続き）。
【図７】制御部１５が原稿読取時に行う読取調整動作の一例を示すフローチャート。
【図８】光源点灯制御部２１の動作の他の例を示した波形図。
【図９】制御部１５が行う読取調整動作の他の例を示したフローチャート。
【図１０】制御部１５が行う読取調整動作の他の例を示したフローチャート（続き）。
【図１１】制御部１５が原稿読取時に行う読取調整動作の他の例を示したフローチャート。
【図１２】本発明の他の実施例にかかるカラー原稿読取装置の制御系の構成の一例を示したブロック図。
【図１３】光源点灯制御部２６の動作の一例を示した波形図。
【図１４】制御部２５が行う読取調整動作の一例を示したフローチャート。
【図１５】制御部２５が原稿読取時に行う読取調整動作の一例を示すフローチャート。
【符号の説明】
１５  制御部
１７  モータ駆動制御部
２０  画像処理部
２１，２６  光源点灯制御部
２２  受光素子
２３  アナログ／デジタル変換器
２７，２８，２９  定電流回路
Ｌｒ  赤色発光ダイオード
Ｌｇ  緑色発光ダイオード
Ｌｂ  青色発光ダイオード
Ｑｒ，Ｑｇ，Ｑｂ  スイッチングトランジスタ
【図１】
0004219574.tif 000002
【図２】
0004219574.tif 000003
【図３】
0004219574.tif 000004
【図４】
0004219574.tif 000005
【図５】
0004219574.tif 000006
【図６】
0004219574.tif 000007
【図７】
0004219574.tif 000008
【図８】
0004219574.tif 000009
【図９】
0004219574.tif 000010
【図１０】
0004219574.tif 000011
【図１１】
0004219574.tif 000012
【図１２】
0004219574.tif 000013
【図１３】
0004219574.tif 000014
【図１４】
0004219574.tif 000015
【図１５】
0004219574.tif 000016